(57)【要約】【課題】ツボマッサージ、頭皮マッサージ、体をたたく、かっさ、ツボの押圧、かゆいところをかくなど物理治療機能をひとまとめにして、使用時の便利さ及び実用性を大幅に向上した手持ち式マッサージ器を提供する。【解決手段】つかみ部に複数の突起粒子を設け、つかみ部の一端に細長い状の板部材が延在し、他端は少なくとも鉤と押圧部とを設けられている。板部材の一表面に複数のクシを設け、もう一つの表面に対になって設置された突起ピンを備え、板部材の両側にそれぞれ湾曲部を設ける。【選択図】図１
0003163136.tif 000002
【実用新案登録請求の範囲】
【請求項１】
つかみ部と、板部材と、押圧部とを備え、マッサージ、マニピュレーション、かっさ並びに指圧等の物理治療に適する手持ち式マッサージ器であって、
前記つかみ部は、少なくとも一つの表面に複数の突起粒子を配置され、前記突起粒子を体の表面に押圧することによって、マッサージの物理治療に使用し、
前記板部材は、前記つかみ部の一端に連設され、前記板部材の一表面に複数のクシを設け、髪の毛をとかし、頭皮マッサージの物理治療に使用し、前記板部材もう一つの表面に複数の突起ピンを設け、体の表面をたたいて、マニピュレーション施術の物理治療効果に使用し、前記板部材周りの２つの側面に湾曲部をそれぞれ設け、前記湾曲部によって体の表面をこすり、かっさの物理治療に使用し、
前記押圧部は前記つかみ部の他端に設けられ、前記押圧部の先端部は体表面のツボ位置を押圧する半球面を形成し、指圧の物理治療に使用する、
手持ち式マッサージ器。
【請求項２】
前記つかみ部の２つの表面にそれぞれ複数の半球面を形成する突起粒子が設けられていることを特徴とする請求項１記載の手持ち式マッサージ器。
【請求項３】
前記クシの先端部は半球面を形成することを特徴とする請求項１記載の手持ち式マッサージ器。
【請求項４】
前記突起ピンは対で設けられていることを特徴とする請求項１記載の手持ち式マッサージ器。
【請求項５】
前記つかみ部は前記押圧部を設けられている側面に、少なくとも一つの鉤を設けられていることを特徴とする請求項１記載の手持ち式マッサージ器。
【考案の詳細な説明】
【技術分野】
【０００１】
本考案は物理治療技術の補助器具に関し、特にマッサージ、マニピュレーション、かっさ
0003163136.tif 000003
と指圧等の多くの治療機能を有する手持ち式マッサージ器に関する。
【背景技術】
【０００２】
よく聞く民族療法はマッサージ、マニピュレーション、かっさ及び指圧等に大きく分けられる。さらに、マッサージ療法はマニピュレーション療法と呼ばれ、指、或いは手のひらを利用して患者の皮膚、筋肉に均等に、力強く優しいマッサージ運動を行うことにより、疾病の治療目的を達成する方法である。
マッサージ療法は筋骨をリラックスさせ、氣血の流れを良くし、血流を活性化させ、腫れを取り、痛み止め及び筋肉の痛みを軽く和らげるなどの作用があり、医学臨床上では以下のようなことに使われている。腰痛、関節筋肉痛、じん帯ねんざ痛、坐骨神経痛、腹痛、胃痛及び消化不良、脳貧血、頭痛、不眠症、高血圧、リューマチ性関節炎、首のねじれ、頭のねじれ、ねんざ、及び慢性の便秘等に、一定の成果を発揮する。
【０００３】
それに対して、マニピュレーション療法は医療人員が手、或いは上肢を利用して、患者に受け身の運動を行わせる医療方法で、手法上マニピュレーション、マッサージ、つまむ、揺する、揉む、こすり揉む、振る等、患者の皮膚の筋肉の点、線、面上でマニピュレーションを行うことで、腫れが緩解され、痛みの軽減、又は取り除く効果がある。
マニピュレーションの施術によって、周囲の筋肉群の収縮活動に影響し、筋肉筋腱活動力が強くなり、筋肉のたるみなどの現象を改善でき、病理状態を取り除き、正常な生理機能に回復させ、運動機能を回復させるので、骨折、脱臼回復後期の患者に対して大きな助けになる。
さらに、人体内のいくつかの腺、或いは経絡血路に詰まりの現象があれば、マニピュレーションのときに受ける衝撃性振動によって流れがよくなる。
【０００４】
熱中症は夏によく見られる病気で、突然熱が出て、めまいがして、嘔吐、下痢、或いは腹痛などの症状があり、その治療方式は硬く薄い構造体（例：牛の角、スプーン、或いは硬貨）などを利用して、患者の皮膚の上を繰り返してこすり、赤色、或いは深い紫色の小さな出血点の血のシミが出た後、熱中症の症状はよくなる。
【０００５】
一方、指圧療法は手の指を針の代わりに使って、一定部位、或いはツボの上で、指圧の腕力と指の力の刺激を使って、治療の目的を達成することを指し、この種の治療法の特徴は他の器具が要らず、薬を使わず、金が要らず、便利で、効果があり、しかも施術は簡単である。
【０００６】
以上これらの民間療法は、普遍的に民間で好んで採用される。マッサージ、マニピュレーション、かっさ及び指圧は、疲労を取り、体を健康に保つなどの効果を達成できる。
【考案の概要】
【考案が解決しようとする課題】
【０００７】
しかし、これら民間療法は通常専門訓練を受けた人が行わなければならず、一般人が家の中で行うのは手法、或いは力が不足し、治療、或いは健康保持の効果が悪い。
又、補助用器材を利用して治療、或いは健康保持の効果を向上しなければならず、これらの補助器材はマッサージ棒、拍淤棒（鬱血を緩和させる棒）及びかっさ板等は、多くが単一機能の設計のため、収納及び使用上不便なところがある。
本考案は前述した補助機材の使用上の多くの欠点に鑑みてなされたものでである。
【課題を解決するための手段】
【０００８】
本考案の一つの目的は、多項目の物理治療を行い、健康保持の効果を促進する手持ち式マッサージ器を提供することにある。
【０００９】
本考案の次の目的は、マッサージ器の構造設計を利用して、マッサージ、マニピュレーション、かっさ及び指圧等物理治療を行う手持ち式マッサージ器を提供することである。
【００１０】
本考案のもう一つの目的は、手の長さを伸ばして、かゆいところをかくことができる鉤を備えた手持ち式マッサージ器を提供することである。
【００１１】
上述の目的を達成するために、本考案の手持ちマッサージ器は、これを利用してマッサージ、マニピュレーション、かっさ及び指圧等物理治療を行う。本考案の手持ちマッサージ器は、主につかみ部と、板部材と、押圧部とを備える。つかみ部は、少なくとも一表面に複数の突起粒子を配設され、突起粒子で体の表面を押圧し、マッサージの物理治療効果を達成する。板部材は、つかみ部の端に接続され、板部材の一面に複数のクシが配設され、頭皮をすき、頭皮マッサージの物理治療効果を達成する。板部材もう一つの一表面に複数の突起ピンが配設され、体の表面をたたいて、マニピュレーションの物理治療効果を達成する。板部材の周辺の二つの側面はさらに湾曲部がそれぞれ設置され、湾曲部によって体をこすり、かっさの物理治療効果を達成する。押圧部は、つかみ部の他端に設けられ、押圧部の先端部は半球面を形成し、体の表面の穴の位置を押圧して、指圧の物理治療効果を達成する。
【００１２】
本考案の一つの実施例において、つかみ部の２つの表面にそれぞれ複数の突起粒子を配設され、当該突起粒子は半球面を呈し、使用時に確実に治療効果を発揮できる。さらに、クシの先端部は半球面を形成し、確実に頭皮をマッサージする効果を達成し、頭髪に引っかかる問題を減らすことができる。板部材もう一つの表面に配設された突起粒子は対に設置され、マニピュレーション治療の中のたたく動作を模倣し、治療時の効果を向上する。又、板部材の二つの側面の湾曲部にそれぞれ異なった湾曲度を設け、体の表面の各種の湾曲部に合わせている。つかみ部には押圧部を設けられた一端の側面、又は両側に一つ、又は一対の鉤を設けられている。
【考案の効果】
【００１３】
本考案は以下の長所を得ることができる。
【００１４】
（イ）本考案に係るつかみ部１１上の突起粒子１１１設計は、握るときに滑らず、マッサージ治療にも使用でき、非常に便利である。
【００１５】
（ロ）本考案に係るクシ１２１の設計は、髪の毛をとかすのに利用でき、頭皮マッサージ等効果がある。
【００１６】
（ハ）本考案に係る板部材１２突起ピン１２２の設計は、使用者にたたくようなマニピュレーション治療に使用でき、操作にも力が要らない。
【００１７】
（ニ）さらに、板部材１２周辺の湾曲部１２３の設計は、使用者にかっさ治療の用途を提供し、体の表面の異なる湾曲度に対応できる。
【００１８】
（ホ）本考案に係る押圧部１３の設計は、使用者の体の表面のツボを深く押圧でき、指圧治療を行え、便利性を向上できる。
【００１９】
（ヘ）そのほか、本考案には鉤１４が設けられており、手の長さを伸ばして、かゆいところをかくのに使える。
【図面の簡単な説明】
【００２０】
【図１】本考案の好ましい実施例の立体外観図である。
【図２】本考案の好ましい実施例もう一つの立体外観図である。
【図３】本考案の好ましい実施例のマッサージ治療するときの使用態様を示す図である。
【図４】本考案の好ましい実施例のマニピュレーション治療するときの使用態様を示す図である。
【図５】本考案の好ましい実施例のかっさ治療するときの使用態様を示す図である。
【図６】本考案の好ましい実施例の指圧治療するときの使用態様を示す図である。
【図７】本考案の好ましい実施例の痒みをかくときの使用態様を示す図である。
【考案を実施するための形態】
【００２１】
以下図面を参照しながら本考案の実施例について説明する。
【実施例】
【００２２】
図１乃至７は、本考案の好ましい実施例の立体図及び各種の使用態様図を示したものである。これらの図面を参照すると、本考案に係る手持ち式マッサージ器１０は主に、つかみ部１１と、板部材１２と、押圧部１３とを含む。
【００２３】
つかみ部１１は使用者が持ちやすい形状に製造され、中央が狭く、両端が広い湾曲状のスタイルを形成し、つかみ部１１の一面、或いは両面には複数の突起粒子１１１が配設されている。
図１、２には、両面とも突起粒子１１１が配設された態様である。
突起粒子１１１の先端部は半球面を形成し、使用時に治療の効果を確実に達成でき、しかも患者の皮膚を傷めない。
引き続き、図３図に示すように、使用者２０が握って使用するとき、突起粒子１１１は手のひらの各ツボに対して押圧の治療ができるほか、突起粒子１１を利用して、体のその他表面を押圧することもでき、適切な手法と合わせて、マッサージの物理治療効果を達成する。
【００２４】
板部材１２はつかみ部１１の一端に連設され、板部材１２の一面には複数のクシ１２１が配設され、クシ１２１の先端部は半球面を形成し頭皮をとかすのに使い、髪の毛がからみつく問題を軽減し、頭皮マッサージの物理治療効果を達成できる。
そのほか、板部材１２のもう一つの表面は複数の突起ピン１２２を配設され、突起ピン１２２は対の方式で設置され、治療上にも一定の効果があり、使用するとき、図４に示すように、使用者はつかみ部１１を握り、板部材１２がつかみ部１１の一端に延在され手の長さを伸ばし、繰り返し体の表面をたたき、突起ピン１２２を利用して、マニピュレーションの物理治療効果を達成する。
板部材１２の周辺の両側にはそれぞれ湾曲部１２３が設置され、湾曲部１２３には異なる湾曲度が設けられ、体の各表面の湾曲度に合わせる。
引き続き図５を参照して説明する。使用するときには、使用者は板部材１２を握り、体の表面の湾曲度にあった湾曲部１２３を選んで、湾曲部１２３によって体の表面をこすり、かっさの物理治療効果を達成できる。
【００２５】
押圧部１３はつかみ部１１の板部材１２が設置された反対端に設けられ、押圧部１３の先端は半球面を形成し、図６に示すように、使用するとき、使用者は反対向きにつかみ部１１を握って、押圧部１３を前として、押圧部１３で体表面のツボ位置を押圧する。押圧部１３はツボに深入り押圧できるので、指圧の物理治療効果を達成でき、使用者が指を使い、だるくなる問題を避けることができる。
【００２６】
引き続き、図１、２に示すように、つかみ部１１に押圧部１３が設けられている一端の２つの側面にそれぞれ鉤１４が設置されている。
鉤１４の先端は半球面の造形を形成し、使用するとき、図７に示すように、使用者は反対向きに板部材１２を握り、鉤１４を前向きにして、手の長さを伸ばし、使用者の手が届かない背中をかくことができ、背中がかゆい問題を解決できる。
【００２７】
前述のように、本考案のつかみ部１１、板部材１２、押圧部１３及び鉤１４は、軟質で靱性を帯びた高分子ゴムを一体成型方式で製造できるため、製造コストを低減できるだけでなく、軟質で靱性を帯びた特徴は使用のときに適切な弾性を提供し、たたくときも弾性を利用して、省力の目的を達成できるほか、材料自身も人体表面にダメージを与えない。
【００２８】
以上の説明は、本考案の実施例の説明にすぎず、本考案がこれらの実施例に制限されるものではない。
その他には、例えばつかみ部１１、或いは板部材１２の外形、サイズ、長さ乃至材質の選択、或いはクシ１２１、突起粒子１１１、突起ピン１２２の形状、数量等の変更は、すべて本考案に含まれるものである。
よって、当業者が適宜行う等価、或いは軽度の変更や置換も当然に本考案に含まれるべきものである。
【符号の説明】
【００２９】
１０・・・・・・手持ち式マッサージ器
１１・・・・・・つかみ部
１１１・・・・・突起粒子
１２・・・・・・板部材
１２１・・・・・クシ
１２２・・・・・突起ピン
１２３・・・・・湾曲部
１３・・・・・・押圧部
１４・・・・・・鉤
２０・・・・・・使用者
【図１】
0003163136.tif 000004
【図２】
0003163136.tif 000005
【図３】
0003163136.tif 000006
【図４】
0003163136.tif 000007
【図５】
0003163136.tif 000008
【図６】
0003163136.tif 000009
【図７】
0003163136.tif 000010